【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
便器本体を洗浄する洗浄水を貯水するタンク装置であって、
洗浄水を貯水し且つ底部に排水口が形成された洗浄水タンクと、
この洗浄水タンクの排水口を開閉する排水弁装置と、
この排水弁装置の開閉を操作する操作機構と、を有し、
前記操作機構は、前記洗浄水タンクに固定された操作部と、この操作部と連結され操作部からの回転動作を伝達する回転軸と、この回転軸に連結されたスピンドル部と、このスピンドル部と前記排水弁装置を連結する連結部材とを備え、前記操作部からの回転動作を前記回転軸が伝達し、前記スピンドル部が回転することにより、連結部材が前記排水弁装置を引き上げて前記排水弁装置を開閉し、
前記スピンドル部は、前記排水弁装置と所定の距離間隔を保つように配置され、
前記回転軸は、前記操作部の前記洗浄水タンクへの取付誤差を吸収可能な誤差吸収手段を備えていることを特徴とするタンク装置。
【請求項２】
前記回転軸は、軸方向に移動可能に前記スピンドル部に接続されていることを特徴とする請求項１に記載のタンク装置。
【手続補正２】
【補正対象書類名】明細書
【補正対象項目名】０００７
【補正方法】変更
【補正の内容】
【０００７】
上記の目的を達成するために、本発明は、便器本体を洗浄する洗浄水を貯水するタンク装置であって、洗浄水を貯水し且つ底部に排水口が形成された洗浄水タンクと、この洗浄水タンクの排水口を開閉する排水弁装置と、この排水弁装置の開閉を操作する操作機構と、を有し、操作機構は、洗浄水タンクに固定された操作部と、この操作部と連結され操作部からの回転動作を伝達する回転軸と、この回転軸に連結されたスピンドル部と、このスピンドル部と排水弁装置を連結する連結部材とを備え、操作部からの回転動作を回転軸が伝達し、スピンドル部が回転することにより、連結部材が排水弁装置を引き上げて排水弁装置を開閉し、スピンドル部は、排水弁装置と所定の距離間隔を保つように配置され、回転軸は、操作部の洗浄水タンクへの取付誤差を吸収可能な誤差吸収手段を備えていることを特徴とする。
このように構成された本発明によれば、洗浄水タンクに製造誤差があり、スピンドル部と操作部との間の距離が変化した、あるいは、相対的な姿勢が変化した場合であっても、回転軸でこの変化を吸収することができる。このため、出荷前に、スピンドル部と排水弁装置とを結ぶ連結部材の長さを調整しておくことができ、現場で調整作業を行う必要がなくなる。
【手続補正３】
【補正対象書類名】明細書
【補正対象項目名】００１０
【補正方法】変更
【補正の内容】
【００１０】
【図１】本発明の一実施形態によるタンク装置の構成を示す鉛直断面図である。
【図２】本発明の一実施形態によるタンク装置の回転伝達部材を示し、（Ａ）は斜視図、（Ｂ）は正面図、（Ｃ）は嵌合部材の端面を示す図である。
【図３】本発明の一実施形態によるタンク装置のスピンドル機構を示す斜視図である。
【図４】本発明の一実施形態によるタンク装置のスピンドル機構を示す分解斜視図である。
【図５】本発明の一実施形態によるタンク装置のスピンドル機構を示し、（Ａ）は正面図、（Ｂ）は側面図、（Ｃ）は上面図、（Ｄ）は（Ｃ）におけるＣ−Ｃ断面図である。
【手続補正４】
【補正対象書類名】明細書
【補正対象項目名】００１１
【補正方法】変更
【補正の内容】
【００１１】
以下、本発明の一実施形態を図面を参照しながら詳細に説明する。
図１は、本発明の一実施形態によるタンク装置１０の構成を示す鉛直断面図である。同図に示すように、本実施形態のタンク装置１０は、外装タンク１００と、外装タンク１００内に収容された内装タンク１１０と、外装タンク１００の上部に設けられた蓋部１２０と、内装タンク１１０に給水を行う給水機構１３０と、内装タンク１１０の排水口１１１ａを開閉させる排水弁装置１４０と、排水弁装置１４０を操作する操作機構１５０と、を備える。
【手続補正５】
【補正対象書類名】明細書
【補正対象項目名】００１６
【補正方法】変更
【補正の内容】
【００１６】
排水弁装置１４０は、排水量を２段階に設定可能な排水弁であり、内装タンク１１０の排水口１１１ａを囲むように設けられた筒体１４１及び内装タンク１１０の排水口１１１ａを閉鎖可能な弁体１４２を備える。弁体１４２は、常時は、内装タンク１１０の排水口１１１ａを閉鎖しており、第１の玉鎖１５１が引き上げられると、排水口１１１ａを開放する。また、筒体１４１の側面には開口１４１ａが形成され、この開口１４１ａには排水量調整弁１４３が取り付けられている。排水量調整弁１４３は、常時は筒体１４１の開口１４１ａを開放しており、第２の玉鎖１５２が引き上げられることで筒体１４１の開口１４１ａを閉鎖する。このような構成により、第１及び第２の玉鎖１５１、１５２が引き上げられた場合には、内装タンク１１０内の筒体１４１の上縁よりも上方の部分と、筒体１４１の内側の部分の洗浄水が便器本体へと供給される（小洗浄）。また、第１の玉鎖１５１のみが引き上げられた場合には、内装タンク１１０内の筒体１４１の上縁よりも上方と、筒体１４１の内部と、筒体１４１の外部の洗浄水が便器本体へと供給される（大洗浄）。
【手続補正６】
【補正対象書類名】明細書
【補正対象項目名】００２０
【補正方法】変更
【補正の内容】
【００２０】
モータ１６３は、各種モードに応じて軸部１６２を回転し、排水弁装置１４０の弁体１４２及び排水量調整弁１４３の開閉の速度やタイミングを制御する。
【手続補正７】
【補正対象書類名】明細書
【補正対象項目名】００２６
【補正方法】変更
【補正の内容】
【００２６】
図３〜図５は、本発明の一実施形態によるタンク装置のスピンドル機構１８０を示し、図３は斜視図、図４は分解斜視図である。また、図５（Ａ）は正面図、（Ｂ）は側面図、（Ｃ）は上面図、（Ｄ）は（Ｃ）におけるＣ−Ｃ断面図である。図３〜図５に示すように、スピンドル機構１８０は、内装タンク１１０の前面と後面との上部の縁の間に掛け渡され、横方向に貫通する略円形断面の貫通孔４００ａを有するガイド部材４００と、円環状の円環部４２２を備える環状部材４２０と、ガイド部材４００の貫通孔４００ａ及び環状部材４２０の円環部４２２を挿通するように設けられた軸部材４１０と、筒状部４１１に取り付けられ、円環部４２２が筒状部４１１から離脱するのを防止するとともに、筒状部４１１がガイド部材４００から離脱するのを防止するストッパ４３０とを備える。
【手続補正８】
【補正対象書類名】明細書
【補正対象項目名】００３４
【補正方法】変更
【補正の内容】
【００３４】
ハンドル機構１６０から回転伝達部材１７０を介して軸部材４１０に、筒状部４１１の凸部４１５と、環状部材４２０の係合部４２３の端面とが離間する方向（図５（Ｄ）におけるＡ方向：以下、第１の回転方向という）の回転が加わった場合には、環状部材４２０はアーム部４２１が下方に向かって延びた姿勢で維持され、軸部材４１０のみが第１の回転方向に回転する。これにより、軸部材４１０のアーム部４１３が第１の玉鎖１５１を引き上げる。これにより、弁体１４２が引き上げられて排水口１１１ａが開放され、大洗浄モードで洗浄水が便器本体へと供給される。
【手続補正９】
【補正対象書類名】明細書
【補正対象項目名】００３５
【補正方法】変更
【補正の内容】
【００３５】
また、これとは逆に、ハンドル機構１６０から回転伝達部材１７０を介して軸部材４１０に、筒状部４１１の凸部４１５が環状部材４２０の係合部４２３に向かう方向（図５（Ｄ）におけるＢ方向：以下、第２の回転方向という）の回転が加わった場合には、軸部材４１０の凸部が環状部材４２０の係合部４２３と係合するため、軸部材４１０とともに環状部材４２０が第２の回転方向に回転する。これにより、軸部材４１０および環状部材４２０のアーム部４１３、４２１が第１及び第２の玉鎖１５１、１５２を引き上げる。これにより、弁体１４２が引き上げられて排水口１１１ａが開放されるとともに、排水量調整弁１４３により筒体１４１の開口１４１ａが閉鎖されるため、小洗浄モードで洗浄水が便器本体へと供給される。
【手続補正１０】
【補正対象書類名】図面
【補正対象項目名】図１
【補正方法】変更
【補正の内容】
【図１】
2011236681.tif 000001
【手続補正１１】
【補正対象書類名】図面
【補正対象項目名】図２
【補正方法】変更
【補正の内容】
【図２】
2011236681.tif 000002